(57)【要約】【課題】  １回の作業で除草及び溝切作業を行うことができ、稲苗の生育を妨げない水田の除草方法を提供する。【解決手段】  水田の除草方法は、稲苗の植付け後に水を湛えた水田において、所定日数経過後に行う水田の除草方法であって、前記水田から水を抜いた後に、当該水田を乾燥させる時間を経過することなく、前記水田の植え付け苗条の間の土を掘り起こして上下反転させつつ前記稲苗の株元に寄せる土寄せ工程を行い、当該土寄せ工程により前記株元に寄せた土の表面が乾燥するまで放置する。【選択図】図１
2010239895.tif 000002
【特許請求の範囲】
【請求項１】
稲苗の植付け後に水を湛えた水田において、所定日数経過後に行う水田の除草方法であって、
前記水田から水を抜いた後に、当該水田を乾燥させる時間を経過することなく、前記水田の植え付け苗条の間の土を掘り起こして上下反転させつつ前記稲苗の株元に寄せる土寄せ工程を行い、
当該土寄せ工程により前記株元に寄せた土の表面が乾燥するまで放置することを特徴とする水田の除草方法。
【請求項２】
前記土寄せ工程は、水田の植え付け苗条の全条間に亘って行われることを特徴とする請求項１に記載の水田の除草方法。
【請求項３】
前記所定日数は、稲苗の植え付けから水田に生育した水田雑草の最初の本葉が出始めるまでの日数であることを特徴とする請求項１又は請求項２に記載の水田の除草方法。
【請求項４】
前記土寄せ工程は、前記植え付け苗条の間をスライド可能な培土機又は溝切機を用いることを特徴とする請求項１から請求項３のいずれかに記載の水田の除草方法。
【請求項５】
前記培土機又は前記溝切機の前方に前記植付け苗条の間隔よりもやや短い間隔に広がって設けられた線状体を有していることを特徴とする請求項４に記載の水田の除草方法。
【発明の詳細な説明】
【技術分野】
【０００１】
この発明は、水田の除草方法に関し、特に稲苗を植付けた後に水を湛えた水田において、所定日数経過後に行う水田の除草方法に関する。
【背景技術】
【０００２】
従来より水稲等の栽培にあっては、水田にコナギやヒエ等の水田雑草が生育して、稲苗の成長を阻害する虞があり、様々な方法でこの水田雑草の除草が試みられてきた。特に、近年では消費者の食の安全への関心の高まりから、除草剤などの農薬を極力使用しないことが求められており、水田に生育する雑草の除草は水稲栽培にとってより重要なものとなっている。
【０００３】
農薬を用いない除草方法としては、例えば、紙製又は布製等のシートを水田に敷いて、水田の表面に日光が到達することを防ぎ、雑草の生育を抑えるマルチ栽培法、水田に合鴨を放って雑草を餌として食させる合鴨農法、田植え後に米ぬかや大豆かすを水田に散布して醗酵させ水田を脱酸素状態にして雑草を枯死させる方法、及び、除草機を用いて稲苗条間の土を攪拌して雑草を埋め込むものや雑草を水面に浮かせて枯死させるもの等の除草機を用いる方法が挙げられる。
【０００４】
しかし、例えばマルチ栽培法においては、シートを使用するためコストが高くなり、また、強い風が吹くとシートが煽られて苗が倒される虞や苗が水田からシートごと剥がれる虞がある。また、合鴨農法においては、合鴨が犬や鳶に襲われないために水田の周辺を囲う網を設置する必要があり、コスト及び設置の労力がかかる。そして、幼い合鴨を水田に放つので気温などによっては、合鴨が死んでしまう虞もある。また、米ぬかや大豆かすを散布する方法においては、散布する量が多く重労働になるうえ、天候によっては米ぬかや大豆かすの醗酵が進まず、雑草を十分に枯死させることができない場合も多い。
【０００５】
また、除草機を用いるものとして、例えば、水田の湛水深さを除草された雑草が浮き上がる程度の深さとし、苗条列の中間位置を苗条列に沿って移動しながら田面にほぼ所定深さ入った状態で除草体を水平方向に往復回動させ、雑草を根部から除去し、湛水面に浮上させる水田の除草方法が提案されている（例えば特許文献１）。この除草方法によると、適切な位置まで往復回動することにより、苗条間１３はもとより苗の株間に生育した雑草も湛水面に浮かせることができ、枯死させることができる。
【先行技術文献】
【特許文献】
【０００６】
【特許文献１】特開平８−２５６６６１号公報
【発明の概要】
【発明が解決しようとする課題】
【０００７】
しかし、上述の除草機を用いた除草方法においては、少なくとも雑草が発芽する頃（通常稲苗の植付けから１０日以内）には除草作業を行わなければならず、十分に生育していない稲苗を傷つける虞があった。また、一回除草したとしても、例えばヒエ等の雑草は稲苗の茎に対しても活着性があるため湛水面に浮かせたとしても枯死せずに稲の茎に活着する虞があり、コナギ等の雑草についても、湛水面に浮かせてすぐに枯死するわけではない。したがって、雑草が発生する度に何度も除草作業を行う必要があり作業が極めて煩雑なものとなる虞があるとともに、複数回の除草作業により稲苗に傷が付くなど稲苗の生育を妨げる虞もあった。
【０００８】
そこで、本発明は１回の作業で水田雑草の除草を完了することができ、稲苗の生育を妨げることのない水田の除草方法を提供することを目的とする。
【課題を解決するための手段】
【０００９】
請求項１に記載の水田の除草方法は、稲苗の植付け後に水を湛えた水田において、所定日数経過後に行う水田の除草方法であって、前記水田から水を抜いた後に、当該水田を乾燥させる時間を経過することなく、前記水田の植え付け苗条の間の土を掘り起こして上下反転させつつ前記稲苗の株元に寄せる土寄せ工程を行い、当該土寄せ工程により前記株元に寄せた土の表面が乾燥するまで放置することを特徴としている。
【００１０】
請求項２に記載の水田の除草方法は、前記土寄せ工程は、水田の植え付け苗条の全条間に亘って行われることを特徴としている。
【００１１】
請求項３に記載の水田の除草方法は、前記所定日数は、水田に生育した水田雑草の最初の本葉が出始める時期を統計的に算出した日数であることを特徴としている。
【００１２】
請求項４に記載の水田の除草方法は、前記土寄せ工程は、前記植え付け苗条の間をスライド可能な培土機又は溝切機を用いることを特徴としている。
【００１３】
請求項５に記載の水田の除草方法は、前記培土機又は前記溝切機の前方に前記植付け苗条の間隔よりもやや短い間隔に広がって設けられた線状体を有していることを特徴としている。
【発明の効果】
【００１４】
請求項１に記載の水田の除草方法によると、稲苗の植付けから所定日数経過した水田の水抜きを行った後乾燥させる時間を経過することなく、水田の植え付け苗条の間の土を掘り起こして上下反転させつつ稲苗の株元に寄せる土寄せ工程を行うので、水田の植え付け苗条の間の土に根を張っている水田雑草は、掘り起こされて上下反転されるので枯死させることができる。また、稲苗の株元付近に生えている水田雑草の上には上下反転した土がかぶせられるので枯死させることができる。しかも、上下反転させる土は乾燥されていないので、土がかぶせられた水田雑草を確実に枯死させることができるとともに、その後株元に寄せた土を所定程度乾燥させることで、株元に寄せた土が崩れることなく除草の役割を果たすので、１回の除草で確実に水田雑草を除去することができる。
【００１５】
請求項２に記載の水田の除草方法によると、土寄せ工程は、水田の植え付け苗条の全条間に亘って行われるので、水田の全ての雑草を除去することができる。
【００１６】
請求項３に記載の水田の除草方法によると、土寄せ工程を行うのは、水田に生育した水田雑草の最初の本葉が出始める時期を統計的に算出した日数であるので、水田雑草の根が未だ水田の地中に張り巡らされておらず、スムーズに土寄せ工程を行うことができ、また、水田雑草を根ごと掘り起こして上下反転させることができる。また、水田雑草が絡まって、稲苗の株元の土まで掘り起こして、稲苗を倒す虞も無い。
【００１７】
また、天候や稲の品種にも左右されるが、水田雑草の最初の本葉が出始める時期は、通常は稲苗の植付けから２０日前後である。稲苗の植付けから２０日程度経過していれば、稲も活着しており分茎も始まっているので、土寄せ工程によって稲が傷つくことを抑制することができ、また、多少傷ついても回復することができる。
【００１８】
また、このように２０日程度経過した後に土寄せ工程を行うものであるので、他の要因により水田雑草があまり生育していない場合には、土寄せ工程を行わないという判断も行うことができる。したがって、必要がない場合には、土寄せ工程を行わないので労力の軽減を図ることができる。
【００１９】
請求項４に記載の水田の除草方法によると、土寄せ工程は、従来からある培土機又は溝切機を用いるので、新たな農具の購入によるコストの増大を防ぐことができる。
【００２０】
請求項５に記載の水田の除草方法によると、培土機又は溝切機の前方に植付け苗条の間隔よりもやや短い間隔に広がって設けられた線状体を有しているので、土寄せ工程を行う際に、この線状体により稲苗の根をやや傷つけることにより発根を促進することができ、よりいっそうの稲苗の成長を図ることができる。
【図面の簡単な説明】
【００２１】
【図１】本発明に係る水田の除草方法の作業工程を説明するフローチャート。
【図２】土寄せ工程を行う農具の一例としての溝切機を説明する正面図。
【図３】土寄せ工程を行う農具の一例としての溝切機を説明する側面図。
【図４】溝切機を用いて行われる土寄せ工程を説明する図。
【図５】土寄せ工程における土寄せ部の作用について説明する図。
【図６】土寄せ工程における線状体の作用について説明する図。
【発明を実施するための形態】
【００２２】
以下、この発明における水田の除草方法について、各図を参照しつつ説明する。この水田の除草方法は、図１及び図４に示すように、水田に成苗の稲苗１２を植付ける（ステップＳ１）。なお、本実施形態では成苗を植付けるものであるが、例えば中苗であってもよい。そして次に、稲苗１２が除草作業を行うのに十分に成育しているか否か判断する（ステップＳ２）。なお、ここで稲苗１２が十分に成育するとは稲が分けつし始めたこといい、田植え時期、天候、寒暖、品種及び苗齢などの要因により田植えからの日数は変動するが、通常田植えを行ってから２０日前後であり、少なくとも田植えを行ってから１５日から２５日までの時期である。
【００２３】
そして、稲苗１２の成育が十分であると判断すると（ステップＳ２：Ｙｅｓ）、次に、水田雑草から本葉が出始めたか否か判断する（ステップＳ３）。一方、稲苗１２の成育が十分でないと判断すると（ステップＳ２：Ｎｏ）十分に稲苗１２が生育するのを待つ。なおここで水田雑草としては、コナギやヒエを例示することができるが、これに限定されるものではなく、水田に根をはり、稲の生育を妨害する虞のある種々の雑草がこれに該当する。水田雑草は本葉が１から２枚程度出来る頃に地中に根を張り巡らせることとなるので、本葉が出始めたときには未だ地中に十分に根を張り巡らしておらず、比較的容易に土寄せ工程を行うことができる。水田雑草の本葉が出始める頃には、成育の遅いものであっても発芽可能な雑草は全て発芽しており、この後に行われる土寄せ工程により、雑草の全てを土の中に埋めてしまうことができる。
【００２４】
水田雑草の本葉が出始めていないと判断すると（Ｓ３：Ｎｏ）、水田雑草の本葉が出始めるのを待つ。一方、水田雑草の本葉が出始めていると判断すると（Ｓ３：Ｙｅｓ）、水田の水を抜き（Ｓ４）、全ての苗条間１３に土寄せ工程を行う（Ｓ５）。
【００２５】
土寄せ工程は具体的には、例えば図２及び図３に示すような土寄せ部１０を固定した溝切機１１を用いて行うことができる。なお、土寄せ工程に使用する農具はこのような溝切機１１に限定されるものではなく、例えば特に畑などで作物の株元に土を寄せる作業を行う培土機を用いるものであっても良い。また、土寄せ工程に使用される農具は人力のものであってもエンジン等の動力によるものであっても良い。溝切機１１は、例えば田植え機などの牽引車に連結する連結部１４と、この連結部１４と土寄せ部１０とをつなぐ横に延びた支持材１５と、支持材１５に等間隔に固定される土寄せ部１０と、土寄せ部１０の前方で、植付け苗条間１３の間隔よりもやや短い間隔に広がって設けられた線状体１６と、により構成されている。
【００２６】
この土寄せ部１０は、底面をＶ字状に形成するとともに、後方に向かって広がって形成されており、田面に埋め込んでスライドさせることで、田面を掘り起こしつつ略Ｖ字状の溝を形成すると共に、掘り起こした土を上下反転させて稲苗１２の株元に土寄せすることができるように構成されている。そして、この土寄せ部１０相互の間隔は苗条間１３の間隔と等しく形成されている。好ましくは土寄せ部１０の相互の間隔は調整可能に形成されており、苗条間１３の間隔に応じて調整できることが好ましい。なお、図２では、土寄せ部１０を４つ設けた構成を記載しているが、土寄せ部１０の個数はこれに限られず１又は複数の土寄せ部１０を設けることができる。
【００２７】
また、線状体１６は、金属で形成された番線状であり、一端が土寄せ部１０の前方に固定されるとともに、他端が土寄せ部１０を苗条間１３の中心にスライドさせるときに苗株の根１７付近をスライドするように、外側に広がって形成されている。
【００２８】
このような溝切機１１を用いて土寄せ工程を行うときには、水抜きを行った水田で、図４に示すように、土寄せ部１０を苗条間１３の中心線に沿ってスライドさせる。このとき、線状体１６も土寄せ部１０にしたがって苗株の根１７に当りながらスライドする。図５に示すように土寄せ部１０が通過すると、苗条間１３の田面を掘り起こしつつ略Ｖ字状の溝を形成すると共に、掘り起こした土を上下反転させて稲苗１２の株元に土寄せされる。このとき土寄せされ稲苗の株元に形成される土は高さは少なくとも３ｃｍから８ｃｍ程度であり、最も好ましくは５ｃｍである。３ｃｍ以下になると土中から水田雑草が出てきて成長する虞があり、８ｃｍ以上であると稲苗を倒す虞がある。
【００２９】
土寄せ部１０が通過して溝状に形成された部分に生育していた雑草はこの土寄せ部１０が通過することにより、地中から掘り起こされて稲苗条側に根を上に向けて反転して埋め込まれるので枯死する。また、土寄せ部１０が通過することにより田面の泥を稲苗１２の株元及び株間に被せることとなり、稲苗１２の株元及び株間に生育していた雑草も泥が被さって地中に埋まることとなり枯死する。
【００３０】
図６に示すように、線状体は苗の根１７をやや傷つけながらスライドすることとなる。これにより傷つけられた苗の根１７は発根を促されることとなり、いっそう稲の成育を促進することとなる。
【００３１】
なお、本発明の実施の形態は上述の形態に限ることなく、本発明の思想の範囲を逸脱しない範囲で適宜変更することができることは云うまでもない。
【産業上の利用可能性】
【００３２】
本発明に係る水田の除草方法は、例えば水稲の無農薬栽培などにおいて好適に用いることができる。
【符号の説明】
【００３３】
１０  土寄せ部
１３  苗条間
１６  線状体
【図１】
2010239895.tif 000003
【図２】
2010239895.tif 000004
【図３】
2010239895.tif 000005
【図４】
2010239895.tif 000006
【図５】
2010239895.tif 000007
【図６】
2010239895.tif 000008